(57)【要約】【課題】ユーザが実際に画像が形成された記録媒体をイメージしながら記録媒体のサイズ設定及び集約設定を行うことが可能な画像形成装置及びその制御方法、並びにプログラム、記録媒体を提供する。【解決手段】ＭＦＰ２００は、記録媒体のサイズをユーザが設定する際に、ＭＦＰ２００において形成可能なサイズごとに、実サイズプレビューで画像を表示し、ユーザが集約設定する際に、ＭＦＰ２００において集約可能な画像の数ごとに、実サイズプレビューで画像を表示する。【選択図】図５
2013056472.tif 000002
【特許請求の範囲】
【請求項１】
記録媒体に画像を形成する形成手段と、ユーザに情報を表示する表示手段とを備え、画像を形成する記録媒体のサイズを設定可能であり、さらに２つ以上の画像を集約して１つの記録媒体に形成する集約設定が可能であり、前記記録媒体に画像を形成した場合と同じ大きさで前記表示手段に前記画像を表示する実サイズプレビューが可能な画像形成装置であって、
前記記録媒体のサイズを前記ユーザが設定する際に、前記画像形成装置において形成可能なサイズごとに、前記実サイズプレビューで前記表示手段に前記画像を表示する第１実サイズプレビュー手段と、
前記ユーザが集約設定する際に、前記画像形成装置において集約可能な画像の数ごとに、前記実サイズプレビューで前記表示手段に前記画像を表示する第２実サイズプレビュー手段と
を備えたことを特徴とする画像形成装置。
【請求項２】
前記画像形成装置が画像を形成可能な記録媒体のうち、記録媒体が存在しないため画像を形成できない記録媒体が存在する場合は、前記画像を形成できない記録媒体が存在することを示す情報を前記表示手段に表示するか、前記第１実サイズプレビュー手段、及び第２実サイズプレビュー手段において、画像を形成できない記録媒体に対応する実サイズプレビューをグレイアウトさせて表示するか、または画像を形成できない記録媒体に対応する実サイズプレビューを表示しないことを特徴とする請求項１記載の画像形成装置。
【請求項３】
前記第１実サイズプレビュー手段、及び第２実サイズプレビュー手段において、ポスター印刷が可能な記録媒体の実サイズプレビューをさらに表示する請求項１又は２記載の画像形成装置。
【請求項４】
前記第１実サイズプレビュー手段、及び第２実サイズプレビュー手段において、前記表示手段の表示サイズに応じて、表示する前記実サイズプレビューの数を変更することを特徴とする請求項１〜３のいずれか１項に記載の画像形成装置。
【請求項５】
前記第１実サイズプレビュー手段、及び第２実サイズプレビュー手段において、前記実サイズプレビューの表示に代えて、リスト表示することを特徴とする請求項１〜４のいずれか１項に記載の画像形成装置。
【請求項６】
前記第１実サイズプレビュー手段、及び第２実サイズプレビュー手段において、予め指定された画像の位置が表示されるように前記実サイズプレビューで表示するか、前記画像に含まれる文字のうち、最小文字が表示されるように前記実サイズプレビューで表示することを特徴とする請求項１〜５のいずれか１項に記載の画像形成装置。
【請求項７】
記録媒体に画像を形成する形成手段と、ユーザに情報を表示する表示手段とを備え、画像を形成する記録媒体のサイズを設定可能であり、さらに２つ以上の画像を集約して１つの記録媒体に形成する集約設定が可能であり、前記記録媒体に画像を形成した場合と同じ大きさで前記表示手段に前記画像を表示する実サイズプレビューが可能な画像形成装置の制御方法であって、
前記記録媒体のサイズを前記ユーザが設定する際に、前記画像形成装置において形成可能なサイズごとに、前記実サイズプレビューで前記表示手段に前記画像を表示する第１実サイズプレビューステップと、
前記ユーザが集約設定する際に、前記画像形成装置において集約可能な画像の数ごとに、前記実サイズプレビューで前記表示手段に前記画像を表示する第２実サイズプレビューステップと
を備えたことを特徴とする制御方法。
【請求項８】
前記画像形成装置が画像を形成可能な記録媒体のうち、記録媒体が存在しないため画像を形成できない記録媒体が存在する場合は、前記画像を形成できない記録媒体が存在することを示す情報を前記表示手段に表示するか、前記第１実サイズプレビューステップ、及び第２実サイズプレビューステップにおいて、画像を形成できない記録媒体に対応する実サイズプレビューをグレイアウトさせて表示するか、または画像を形成できない記録媒体に対応する実サイズプレビューを表示しないことを特徴とする請求項７記載の制御方法。
【請求項９】
前記第１実サイズプレビューステップ、及び第２実サイズプレビューステップにおいて、ポスター印刷が可能な記録媒体の実サイズプレビューをさらに表示する請求項７又は８記載の制御方法。
【請求項１０】
前記第１実サイズプレビューステップ、及び第２実サイズプレビューステップにおいて、前記表示手段の表示サイズに応じて、表示する前記実サイズプレビューの数を変更することを特徴とする請求項７〜９のいずれか１項に記載の制御方法。
【請求項１１】
前記第１実サイズプレビューステップ、及び第２実サイズプレビューステップにおいて、前記実サイズプレビューの表示に代えて、リスト表示することを特徴とする請求項７〜１０のいずれか１項に記載の制御方法。
【請求項１２】
前記第１実サイズプレビューステップ、及び第２実サイズプレビューステップにおいて、予め指定された画像の位置が表示されるように前記実サイズプレビューで表示するか、前記画像に含まれる文字のうち、最小文字が表示されるように前記実サイズプレビューで表示することを特徴とする請求項７〜１１のいずれか１項に記載の制御方法。
【請求項１３】
記録媒体に画像を形成する形成手段と、ユーザに情報を表示する表示手段とを備え、画像を形成する記録媒体のサイズを設定可能であり、さらに２つ以上の画像を集約して１つの記録媒体に形成する集約設定が可能であり、前記記録媒体に画像を形成した場合と同じ大きさで前記表示手段に前記画像を表示する実サイズプレビューが可能な画像形成装置の制御方法をコンピュータに実行させるためのプログラムであって、
前記制御方法は、
前記記録媒体のサイズを前記ユーザが設定する際に、前記画像形成装置において形成可能なサイズごとに、前記実サイズプレビューで前記表示手段に前記画像を表示する第１実サイズプレビューステップと、
前記ユーザが集約設定する際に、前記画像形成装置において集約可能な画像の数ごとに、前記実サイズプレビューで前記表示手段に前記画像を表示する第２実サイズプレビューステップと
を備えたことを特徴とするプログラム。
【請求項１４】
請求項請求項１３に記載のプログラムを記録したコンピュータ読み取り可能な記録媒体。
【発明の詳細な説明】
【技術分野】
【０００１】
本発明は、画像形成装置及びその制御方法、並びにプログラム、記録媒体に関し、特に、記録媒体に画像を形成した場合と同じ大きさで画像を表示する実サイズプレビューが可能な画像形成装置及びその制御方法、並びにプログラム、記録媒体に関する。
【背景技術】
【０００２】
近年の画像形成装置は、操作部など表示装置の能力向上に伴い、画像形成装置内のハードディスクに蓄積されたデータや紙原稿をスキャンしたデータをプレビューする機能が搭載されてきている。こうしたプレビュー機能のひとつとして、印刷する画像に含まれる文字や図画を、用紙上に印刷した場合と同じ大きさで表示して確認する技術が考えられている。以降このようなプレビュー機能を「実サイズプレビュー」という。
【０００３】
また、画像形成装置では、紙やトナーを節約する為に複数ページを単一ページ上にまとめて印刷する集約印刷を設定することが出来る。
【０００４】
集約印刷を行うと、印刷された文字や図画の大きさが、原稿の文字や図画の大きさより小さくなるので、印刷後の文字や図画の大きさを確認する為に、実サイズプレビューを行いたいという要望がある。
【０００５】
このような集約印刷における実サイズプレビューに関する先行技術として、集約印刷の際、小さくなる文字を実サイズプレビューで確認しながら集約の設定を行う技術が提案されている（例えば、特許文献１参照）。
【先行技術文献】
【特許文献】
【０００６】
【特許文献１】特開２０１０−２７２０４９号公報
【発明の概要】
【発明が解決しようとする課題】
【０００７】
しかしながら、上記先行技術では小さくなる文字を実サイズプレビューで確認しながら集約設定を行うことが出来る一方で、予め設定された用紙サイズでのプレビューしか行えないものとなっている。
【０００８】
従って上記先行技術では、ユーザは、集約設定が反映された実サイズプレビューを見ながら用紙サイズの設定を行うことができないという問題がある。
【０００９】
本発明の目的は、実際に用紙上に印刷した場合の画像の大きさをユーザが確認しながら、記録媒体のサイズ設定や集約設定を行うことが可能な画像形成装置及びその制御方法、並びにプログラム、記録媒体を提供することにある。
【課題を解決するための手段】
【００１０】
上記目的を達成するために、請求項１の画像形成装置は、記録媒体に画像を形成する形成手段と、ユーザに情報を表示する表示手段とを備え、画像を形成する記録媒体のサイズを設定可能であり、さらに２つ以上の画像を集約して１つの記録媒体に形成する集約設定が可能であり、前記記録媒体に画像を形成した場合と同じ大きさで前記表示手段に前記画像を表示する実サイズプレビューが可能な画像形成装置であって、前記記録媒体のサイズを前記ユーザが設定する際に、前記画像形成装置において形成可能なサイズごとに、前記実サイズプレビューで前記表示手段に前記画像を表示する第１実サイズプレビュー手段と、前記ユーザが集約設定する際に、前記画像形成装置において集約可能な画像の数ごとに、前記実サイズプレビューで前記表示手段に前記画像を表示する第２実サイズプレビュー手段とを備えたことを特徴とする。
【発明の効果】
【００１１】
本発明によれば、実際に用紙上に印刷した場合の画像の大きさをユーザが確認しながら、記録媒体のサイズ設定や集約設定を行うことが可能になる。
【図面の簡単な説明】
【００１２】
【図１】本発明の実施の形態に係る画像形成装置の概略構成を示す図である。
【図２】図１におけるコントロールユニットのソフトウェアの構成を示すブロック図である。
【図３】操作部にプレビューする場合の処理の概要を示す図である。
【図４】図１におけるＣＰＵにより実行される印刷処理の手順を示すフローチャートである。
【図５】図１におけるＣＰＵにより実行される実サイズプレビュー処理の手順を示すフローチャートである。
【図６】図１における操作部での実サイズプレビューにおける表示内容の遷移の様子を示す図である。
【図７】図１におけるＣＰＵにより実行される変倍処理の手順を示すフローチャートである。
【図８】図１におけるＣＰＵにより実行される印刷サイズチェック処理の手順を示すフローチャートである。
【図９】図１におけるＣＰＵにより実行されるポスター印刷処理の手順を示すフローチャートである。
【図１０】図１におけるＣＰＵにより実行されるプレビュー表示チェック処理の手順を示すフローチャートである。
【図１１】図１におけるＣＰＵにより実行される実サイズプレビュー表示箇所指定処理の手順を示すフローチャートである。
【発明を実施するための形態】
【００１３】
以下、本発明の実施の形態について図面を参照しながら詳述する。
【００１４】
図１は、本発明の実施の形態に係る画像形成装置（以下、「ＭＦＰ」という）２００の概略構成を示す図である。
【００１５】
図１において、コントロールユニット１００は、画像入力デバイスであるスキャナ１０１、及び画像出力デバイスであるプリンタエンジン１０２と接続し、画像データの読み取りやプリント出力のための制御を行う。なお、上記のように、本実施の形態では、画像を記録媒体に形成することを出力する、と表現することがある。また、記録媒体として用紙を用いるが、これに限らない。
【００１６】
また、コントロールユニット１００は、ＬＡＮ１４０、及び公衆回線１０４と接続されている。そして、コントロールユニット１００は、画像情報やデバイス情報をＬＡＮ１４０経由で入出力するための制御を行う。
【００１７】
プリンタエンジン１０２は、デバイスＩ／Ｆ１１７によりコントロールユニット１００に結合され、コントロールユニット１００で生成された描画データを用紙に出力する処理を行う。スキャナ１０１は、デバイスＩ／Ｆ１１７によりコントロールユニット１００に結合され、原稿を読み取ることで原稿を示すデータをコントロールユニット１００に出力する。このプリンタエンジン１０２は、用紙に画像を形成する形成手段に対応する。
【００１８】
ＣＰＵ１０５はＭＦＰ２００を制御するための中央処理装置である。ＲＡＭ１０６は、ＣＰＵ１０５が動作するためのシステムワークメモリであり、入力された画像データを一時記憶するための画像メモリでもある。
【００１９】
さらに、ＲＯＭ１０７はブートＲＯＭであり、システムのブートプログラムが格納されている。
【００２０】
ＨＤＤ１０８はハードディスクドライブであり、各種処理のためのシステムソフトウェア及び入力された画像データ等を格納する。
【００２１】
操作部Ｉ／Ｆ１０９は、画像データ等を表示可能な表示画面を有する操作部１１０に対するインタフェース部であり、この操作部１１０に対して操作画面データを出力する。
【００２２】
また、操作部Ｉ／Ｆ１０９は、操作部１１０からユーザが入力した情報をＣＰＵ１０５に伝える。
【００２３】
上述した操作部１１０は、ユーザからの操作が入力されるだけではなく、例えばタッチパネル式のディスプレイにより、ユーザに情報を表示する表示手段に対応する。その情報の１つに、画像のプレビューがある。本実施の形態では、実サイズプレビューが可能なＭＦＰとなっている。
【００２４】
この実サイズプレビューとは、対象画像を操作部１１０やＰＣモニター上でプレビューする際、出力される用紙上の当該対象画像のサイズと同じサイズでプレビューすることを意味する。
【００２５】
つまり、実サイズプレビューでは、用紙に出力した画像とプレビュー画像を重ねると、全く同じ大きさで重なることとなる。ユーザは実サイズプレビューを行うことで、出力される印刷物のイメージをより容易に想像することが可能になる。また、本実施の形態に係るＭＦＰ２００は、２つ以上の画像を集約して１つの用紙に形成する集約設定が可能となっている。
【００２６】
ネットワークＩ／Ｆ１１１は、例えばＬＡＮカード等で実現され、ＬＡＮ１４０に接続して外部装置との間で情報の入出力を行う。さらにまた、モデム１１２は公衆回線１０４に接続し、外部装置との間で情報の入出力を行う。以上のユニットは、システムバス１１３により互いに電気的に接続されている。
【００２７】
イメージバスＩ／Ｆ１１４は、システムバス１１３と画像データを高速で転送する画像バス１１５とを接続するためのインタフェースであり、データ構造を変換するバスブリッジである。
【００２８】
画像バス１１５上には、ＲＩＰ１１６、デバイスＩ／Ｆ１１７、スキャナ画像処理部１１８、プリンタ画像処理部１１９、画像編集用画像処理部１２０、ＣＭＭ１３０が接続される。
【００２９】
ＲＩＰ１１６（ラスタイメージプロセッサ）は、ページ記述言語（ＰＤＬデータ）コードや後述するベクトルデータをイメージに展開する。
【００３０】
デバイスＩ／Ｆ１１７は、スキャナ１０１やプリンタエンジン１０２とコントロールユニット１００とを接続し、画像データの同期系／非同期系の変換を行う。
【００３１】
また、スキャナ画像処理部１１８は、スキャナ１０１から入力した画像データに対して、補正、加工、編集等の各種処理を行う。
【００３２】
プリンタ画像処理部１１９は、プリント出力する画像データに対して、プリンタエンジンに応じた補正、解像度変換等の処理を行う。
【００３３】
画像編集用画像処理部１２０は、画像データの回転や、画像データの圧縮伸長処理等の各種画像処理を行う。
【００３４】
ＣＭＭ１３０（カラーマネジメントモジュール）は、画像データに対して、プロファイルやキャリブレーションデータに基づいた、色変換処理（色空間変換処理ともいう）を施す専用ハードウェアモジュールである。
【００３５】
プロファイルとは、機器に依存した色空間で表現したカラー画像データを機器に依存しない色空間（例えばＬａｂなど）に変換するための関数のような情報である。キャリブレーションデータとは、スキャナ１０１やプリンタエンジン１０２の色再現特性を修正するためのデータである。
【００３６】
図２は、図１におけるコントロールユニット１００のソフトウェアの構成を示すブロック図である。
【００３７】
図２において、図１で説明したネットワークＩ／Ｆ１１１、及びプリンタエンジン１０２についての説明は省略する。
【００３８】
プロトコル制御部３０１は、外部装置との通信を行うために、ネットワークプロトコルの解析等を行う。ＰＤＬデータ解析部３０２は、ＰＤＬデータを解析し、より処理しやすい形式のディスプレイリストに変換する手段である。ＰＤＬデータ解析部３０２において生成されたディスプレイリストはデータ描画部３０３に渡されて処理される。
【００３９】
データ描画部３０３は上記ディスプレイリストをビットマップデータに展開するものであり、展開されたビットマップデータはページメモリ３０４に逐次描画されて行く。
【００４０】
ページメモリ３０４は、ＲＡＭ１０６に設けられ、レンダラが展開するビットマップデータを一時的に保持する領域である。パネル入出力制御部は操作部１１０からの入出力を制御するものである。
【００４１】
ドキュメント記憶部３０６は、ＨＤＤ１０８にデータファイルを記憶する。スキャン制御部３０７はスキャナ１０１から入力された画像データに対して、補正、加工、編集などの各種処理を行う。
【００４２】
印刷制御部３０８は、ページメモリ３０４の内容をビデオ信号に変換処理し、プリンタエンジン１０２へ画像転送を行なう。
【００４３】
図３は、操作部１１０にプレビューする場合の処理の概要を示す図である。
【００４４】
図３において、スキャナ１０１やＲＩＰから画像データが入力され（ステップＳ３０１）、コントロールユニット１００の制御により、その画像データは、ＨＤＤ１０８に記憶される（ステップＳ３０２）。
【００４５】
操作部１１０では、ユーザの設定に応じ（ステップＳ３０３）、ＨＤＤ１０８に記憶されているデータを選択し、プレビュー指示を行い（ステップＳ３０４）、プレビュー指示により生成されたプレビュー画像が表示される（ステップＳ３０７）。
【００４６】
また、ＨＤＤ１０８に記憶されているデータが選択され、印刷指示が行われる（ステップＳ３０８）。プレビュー指示や印刷指示を受けたコントロールユニット１００は、ＨＤＤ１０８にアクセスする。そして、選択されたデータを読み出し（ステップＳ３０５、３０９）、プレビュー画像を生成したり（ステップＳ３０６）、印刷画像を生成する（ステップＳ３１０）。
【００４７】
生成された画像は、プレビューの場合は操作部１１０、印刷する場合はプリンタエンジン１０２へ出力される（ステップＳ３１１）。
【００４８】
図４は、図１におけるＣＰＵ１０５により実行される印刷処理の手順を示すフローチャートである。
【００４９】
図４において、まず、ＣＰＵ１０５は、画像データを取得する（ステップＳ４０１）。取得される画像データは、紙原稿のスキャン画像データ、ＰＤＬがレンダリングされたＲＩＰ後の画像データ、ＦＡＸ受信データ等である。
【００５０】
次いで、ＣＰＵ１０５は、取得されたデータのうち、ＨＤＤ１０８に記憶する画像データを選択する（ステップＳ４０２）。画像データのＨＤＤ１０８への記憶が終わるまで上記処理は繰り返される。
【００５１】
次いで、ＣＰＵ１０５は、操作部１１０を介してユーザに入力された印刷する画像データの選択や印刷設定を受信する（ステップＳ４０３）。更に、ユーザにより指示されたプレビュー画像生成指示を受信する（ステップＳ４０４）。
【００５２】
その後、ＣＰＵ１０５は、プレビュー画像生成指示対象の画像データをＨＤＤ１０８から読み出し（ステップＳ４０５）、設定に応じてプレビュー画像を作成、編集する（ステップＳ４０６）。そして、生成されたプレビュー画像を操作部１１０に表示する（ステップＳ４０７）。
【００５３】
次いで、ＣＰＵ１０５は、ユーザにより印刷指示されたか否か判別する（ステップＳ４０８）。ステップＳ４０８の判別の結果、印刷指示がされていないとき（ステップＳ４０８でＮＯ）、上記ステップＳ４０３に戻る。
【００５４】
一方、印刷指示がされたとき（ステップＳ４０８でＹＥＳ）、ＨＤＤ１０８に記憶されている印刷対象の画像データを読み出す（ステップＳ４０９）。そして、印刷設定に応じて画像データを編集する（ステップＳ４１０）。そして、画像データを編集することにより得られた印刷画像をプリンタエンジン１０２に出力し（ステップＳ４１１）、本処理を終了する。
【００５５】
図５は、図１におけるＣＰＵ１０５により実行される実サイズプレビュー処理の手順を示すフローチャートである。
【００５６】
まずＣＰＵ１０５は、操作部１１０を用いたユーザの操作に基づいて、実サイズプレビューする画像データを選択する（ステップＳ５０１）。次いでＣＰＵ１０５は、ユーザによって集約設定が選択されたか否か判別する（ステップＳ５０２）。ステップＳ５０２の判別の結果、集約設定が選択されなかったとき（ステップＳ５０２でＮＯ）、ステップＳ５１０に進む。
【００５７】
一方、集約設定が選択されたとき（ステップＳ５０２でＹＥＳ）、ＣＰＵ１０５は、ＭＦＰ２００において実行可能な集約設定を確認する（ステップＳ５０３）。ここで、集約設定とは、複数ページ（Ｎページ）の画像を一ページに集約してレイアウトする設定であり、一般的にＮｉｎ１レイアウトの設定と呼ばれている。そして、Ｎｉｎ１レイアウトを行う際のＮの値は、２，４，６，８，９・・・等、装置によって異なる。Ｓ５０３では、ＣＰＵ１０５が、自装置（ＭＦＰ２００）で実行可能な集約設定（Ｎｉｎ１のＮの値）を確認し、それらを候補一覧として特定する。
【００５８】
次いでＣＰＵ１０５は、用紙サイズがユーザによって設定されている否か判別する（ステップＳ５０４）。ステップＳ５０４の判別の結果、用紙サイズが設定されているとき（ステップＳ５０４でＹＥＳ）、ＣＰＵ１０５は、設定されている用紙サイズの値を特定し（ステップＳ５０５）、ステップＳ５０７に進む。
【００５９】
一方、ステップＳ５０４の判別の結果、用紙サイズがユーザによって設定されていなかったとき（ステップＳ５０４でＮＯ）、ＣＰＵ１０５は、用紙サイズの設定値としてデフォルト値を特定する（ステップＳ５０６）。
【００６０】
次いで、ＣＰＵ１０５は、Ｓ５０５又はＳ５０６において特定された用紙サイズの値をもとにして、Ｓ５０３において特定した集約設定可能な候補一覧それぞれについて実サイズプレビューを表示する（ステップＳ５０７）。ＣＰＵ１０５は、この実サイズプレビューにおいて集約設定がユーザによって選択されたか否か判別する（ステップＳ５０８）。ステップＳ５０８の判別の結果、集約設定が選択されなかったとき（ステップＳ５０８でＮＯ）、ステップＳ５１０に進む。上記ステップＳ５０７の処理は、ユーザが集約設定に関して設定する際に、ＭＦＰ２００において可能な集約設定の数（Ｎｉｎ１のＮの数）ごとに、実サイズプレビューで操作部１１０に画像を表示する第２実サイズプレビュー手段の一例である。
【００６１】
一方、ステップＳ５０８の判別の結果、集約設定がユーザによって選択されたとき（ステップＳ５０８でＹＥＳ）、選択された集約設定をＲＡＭ１０６に保持する（ステップＳ５０９）。
【００６２】
次いで、ＣＰＵ１０５は、用紙サイズの設定がユーザによって選択されたか否か判別する（ステップＳ５１０）。ステップＳ５１０の判別の結果、用紙サイズの設定が選択されなかったとき（ステップＳ５１０でＮＯ）、ステップＳ５１８に進む。
【００６３】
一方、用紙サイズの設定がユーザによって選択されたとき（ステップＳ５１０でＹＥＳ）、ＭＦＰ２００において設定可能な用紙サイズを確認する（ステップＳ５１１）。ここでは、現在給紙部に用紙が存在する用紙サイズを確認してもよいし、用紙の有無は問わずにＭＦＰ２００が対応している（使用可能な）用紙サイズを確認するようにしてもよい。
【００６４】
次いで、ＣＰＵ１０５は、集約設定がユーザによって設定されているか否か判別する（ステップＳ５１２）。ステップＳ５１２の判別の結果、集約設定が設定されているとき（ステップＳ５１２でＹＥＳ）、ＣＰＵ１０５は、設定されている集約設定の値を特定し（ステップＳ５１３）、ステップＳ５１５に進む。
【００６５】
一方、ステップＳ５１２の判別の結果、集約設定がユーザによって設定されていなかったとき（ステップＳ５１２でＮＯ）、ＣＰＵ１０５は、集約設定に関する設定値としてデフォルト値を特定する（ステップＳ５１４）。一般的に集約設定に関するデフォルト値は１ｉｎ１（即ち、集約設定を行わないもの）であるため、Ｓ５１４では、集約設定に関する設定値として集約設定を行わない旨が特定されることになる。
【００６６】
次いで、ＣＰＵ１０５は、Ｓ５１３又はＳ５１４によって特定された集約設定に関する設定値をもとにして、Ｓ５１１において確認した用紙サイズとして設定可能な候補一覧それぞれについて実サイズプレビューを表示する（ステップＳ５１５）。そして、ＣＰＵ１０５は、この実サイズプレビューにおいて用紙サイズの設定が選択されたか否か判別する（ステップＳ５１６）。ステップＳ５１６の判別の結果、用紙サイズの設定が選択されなかったとき（ステップＳ５１６でＮＯ）、ステップＳ５１８に進む。上記ステップＳ５１５の処理は、用紙のサイズをユーザが設定する際に、ＭＦＰ２００において形成可能なサイズごとに、実サイズプレビューで操作部１１０に画像を表示する第１実サイズプレビュー手段の一例である。
【００６７】
一方、ステップＳ５１６の判別の結果、用紙サイズの設定が選択されたとき（ステップＳ５１６でＹＥＳ）、ＣＰＵ１０５は、選択された用紙サイズの設定内容をＲＡＭ１０６に保持する（ステップＳ５１７）。
【００６８】
そして、ＣＰＵ１０５は、設定がすべて終了したか否か判別し（ステップＳ５１８）、すべて終了したときには（ステップＳ５１８でＹＥＳ）、本処理を終了し、終了していないときには（ステップＳ５１８でＮＯ）、ステップＳ５０２に戻る。
【００６９】
この実サイズプレビュー処理の手順は一例として集約設定と用紙サイズ設定の関係の説明を行うためのものである。従って、後述する変倍設定やポスター印刷設定のように、例えば用紙設定とポスター印刷設定、集約設定と変倍設定等、用紙出力時の画像の大きさに影響を与える各設定の組み合わせであれば、どのような設定に対しても適用可能である。
【００７０】
図５の処理によれば、用紙のサイズをユーザが設定する際に、ＭＦＰ２００において形成可能なサイズごとに、実サイズプレビューで画像を表示する（ステップＳ５１５）。また、ユーザが集約設定する際に、ＭＦＰ２００において集約可能な画像の数ごとに、実サイズプレビューで画像を表示する（ステップＳ５０７）。その結果、ユーザが実際に画像が形成された用紙をイメージしながら用紙のサイズ設定及び集約設定を行うことが可能となる。
【００７１】
図６は、図１における操作部１１０での実サイズプレビューにおける表示内容の遷移の様子を示す図である。
【００７２】
図６において、画面６０１は、印刷やプレビューを行うデータを選択するＵＩであり、ＨＤＤ１０８に記憶されている画像データの一覧が表示される。この表示内容は、図５のＳ５０１での表示内容に対応する。ここで、ＨＤＤ１０８に記憶されている画像データが選択され、画面６０１の「プリントする」ボタンが押下されると、用紙設定画面６０２が表示される。
【００７３】
用紙設定画面６０２において、用紙サイズを設定するための「Ａ４」と表示されたボタンが押されると、実サイズプレビュー画面６０３が表示される。これは図５のＳ５１０での表示内容に対応する。
【００７４】
実サイズプレビュー画面６０３では、設定可能な用紙サイズ毎に実サイズプレビューを列挙し、用紙サイズの選択が入力可能となっている。この時点では、集約設定がまだ行われていないので、表示された実サイズプレビューはデフォルトの集約設定である１ｉｎ１となっている。これは図５のＳ５１５での表示内容に対応する。
【００７５】
実サイズプレビュー画面６０３において、例えばＡ３の用紙サイズが選択され、「ＯＫ」が押下されると、用紙設定画面６０２に戻る。
【００７６】
次に用紙設定画面６０２の「その他設定」ボタンが押下されると、詳細設定画面６０４が表示される。詳細設定画面６０４の「集約設定」ボタンが押下されると、集約設定画面６０５が表示される。
【００７７】
集約設定画面６０５では、設定可能な集約設定毎に実サイズプレビューを列挙し、集約設定の選択が入力可能となっている。この時点では用紙サイズがＡ３と設定されているので、表示された実サイズプレビューはＡ３をベースに行われている。これは図５のＳ５０７での処理になる。
【００７８】
ここで例えば２ｉｎ１の用紙サイズが選択され、「ＯＫ」が押下されると、詳細設定画面６０４が表示される。詳細設定画面６０４の「閉じる」ボタンが押されると、再び用紙設定画面６０２が表示されると、先ほど集約設定画面６０５で設定された２ｉｎ１の集約設定が反映された状態での用紙設定画面が表示される。
【００７９】
図７は、図１におけるＣＰＵ１０５により実行される変倍処理の手順を示すフローチャートである。
【００８０】
図７に示される変倍処理は、図５で説明した集約設定及び用紙サイズ設定のような設定に関する処理の１つである。従って、この変倍処理は、図５のステップＳ５０１、５０２の間、ステップＳ５０９、５１０の間、及びステップＳ５１７、５１８の間に挿入可能な処理である。
【００８１】
図７において、ＣＰＵ１０５は、ユーザによって変倍設定が選択されたか否か判別する（ステップＳ７０２）。ステップＳ７０２の判別の結果、変倍設定が選択されなかったとき（ステップＳ７０２でＮＯ）、本処理を終了する。
【００８２】
一方、変倍設定が選択されたとき（ステップＳ７０２でＹＥＳ）、ＣＰＵ１０５は、ＭＦＰ２００において設定可能な変倍設定の候補一覧を確認する（ステップＳ７０３）。
【００８３】
次いで、ＣＰＵ１０５は、変倍設定以外の設定が既に設定されているか否か判別する（ステップＳ７０４）。ステップＳ７０４の判別の結果、変倍設定以外の設定が設定されているとき（ステップＳ７０４でＹＥＳ）、ＣＰＵ１０５は、設定値として設定された値を選択し（ステップＳ７０５）、ステップＳ７０７に進む。
【００８４】
一方、ステップＳ７０４の判別の結果、変倍設定以外の設定が設定されていなかったとき（ステップＳ７０４でＮＯ）、ＣＰＵ１０５は、設定値としてデフォルト値を選択する（ステップＳ７０６）。
【００８５】
次いで、ＣＰＵ１０５は、Ｓ７０５又はＳ７０６で選択された設定値をもとにして、Ｓ７０３で確認された設定可能な変倍設定それぞれに関して実サイズプレビューを表示する（ステップＳ７０７）。ＣＰＵ１０５は、この実サイズプレビューにおいて変倍設定がユーザによって選択されたか否か判別する（ステップＳ７０８）。ステップＳ７０８の判別の結果、変倍設定が選択されなかったとき（ステップＳ７０８でＮＯ）、本処理を終了する。
【００８６】
一方、ステップＳ７０８の判別の結果、変倍設定が選択されたとき（ステップＳ７０８でＹＥＳ）、選択された変倍設定をＲＡＭ１０６に保持し（ステップＳ７０９）、本処理を終了する。
【００８７】
図８は、図１におけるＣＰＵ１０５により実行される印刷サイズチェック処理の手順を示すフローチャートである。
【００８８】
図８の印刷サイズチェック処理は、図５のステップＳ５１１で実行するようにしてもよい。
【００８９】
図８において、ＣＰＵ１０５は、用紙サイズとして設定可能な候補一覧を確認する（ステップＳ８０２）。次いで、ＣＰＵ１０５は、印刷不可サイズがあるか否か判別する（ステップＳ８０３）。この印刷不可サイズとは、例えばＭＦＰ２００では印刷可能なサイズだが、用紙切れにより印刷できないなどの理由により印刷ができないサイズを示している。すなわち、用紙切れした用紙は、ＭＦＰ２００が画像を形成可能な用紙のうち、用紙が存在しないため実質的に画像を形成できない用紙である。
【００９０】
ステップＳ８０３の判別の結果、印刷不可サイズがないとき（ステップＳ８０３でＮＯ）、ＣＰＵ１０５は、用紙サイズとして設定可能な用紙サイズそれぞれに対して実サイズプレビューを表示し（ステップＳ８０４）、本処理を終了する。
【００９１】
一方、ステップＳ８０３の判別の結果、印刷不可サイズがあるとき（ステップＳ８０３でＹＥＳ）、ＣＰＵ１０５は、印刷不可サイズをＲＡＭ１０６に保持し（ステップＳ８０５）、印刷不可サイズは一覧に表示しない設定となっているか否か判別する（ステップＳ８０６）。
【００９２】
ステップＳ８０６の判別の結果、印刷不可サイズは一覧に表示しない設定となっているとき（ステップＳ８０６でＹＥＳ）、印刷可能なサイズのみ設定可能な候補一覧として、それらに対する実サイズプレビューを表示し（ステップＳ８０７）、本処理を終了する。
【００９３】
一方、ステップＳ８０６の判別の結果、印刷不可サイズも一覧に表示する設定となっているとき（ステップＳ８０６でＮＯ）、ＣＰＵ１０５は、印刷不可サイズはグレーアウトや警告メッセージを表示する設定となっているか否か判別する（ステップＳ８０８）。
【００９４】
ステップＳ８０８の判別の結果、印刷不可サイズはグレーアウトや警告メッセージを表示する設定となっているとき（ステップＳ８０８でＹＥＳ）、ステップＳ８０９に進む。このステップでは、印刷不可サイズはグレーアウトや警告メッセージを表示する。一方、印刷可能なサイズは設定可能な候補一覧としてそれらに対する実サイズプレビューを表示し（ステップＳ８０９）、本処理を終了する。
【００９５】
一方、ステップＳ８０８の判別の結果、印刷不可サイズはグレーアウトやメッセージを表示する設定となっていないとき（ステップＳ８０８でＮＯ）、印刷不可サイズも含めてすべての用紙サイズに対して実サイズプレビューを表示する（ステップＳ８１０）。そして、本処理を終了する。
【００９６】
図８の処理によれば、用紙切れなどにより、用紙が存在しないため実質的に画像を形成できない用紙が存在する場合は以下の処理がなされる。まず、１つ目の処理として、実質的に画像を形成できない用紙が存在することを示す情報を操作部１１０に表示する処理がある。また、２つ目の処理として、実サイズプレビューにおいて、画像を形成できない用紙に対応する実サイズプレビューをグレイアウトさせて表示するか、または画像を形成できない用紙に対応する実サイズプレビューを表示しない処理がある。
【００９７】
図９は、図１におけるＣＰＵ１０５により実行されるポスター印刷処理の手順を示すフローチャートである。
【００９８】
図９に示されるポスター印刷処理は、図５で説明した集約設定及び用紙サイズ設定のような設定に関する処理の１つである。従って、このポスター印刷処理は、図５のステップＳ５０１、５０２の間、ステップＳ５０９、５１０の間、及びステップＳ５１７、５１８の間に挿入可能な処理である。
【００９９】
図９において、ＣＰＵ１０５は、ユーザによってポスター印刷設定が選択されたか否か判別する（ステップＳ９０２）。ステップＳ９０２の判別の結果、ポスター印刷設定が選択されなかったとき（ステップＳ９０２でＮＯ）、本処理を終了する。
【０１００】
一方、ポスター印刷設定が選択されたとき（ステップＳ９０２でＹＥＳ）、ＣＰＵ１０５は、ＭＦＰ２００において設定可能なポスター印刷設定の候補一覧を確認する（ステップＳ９０３）。
【０１０１】
次いで、ＣＰＵ１０５は、ポスター印刷設定以外の設定が既に設定されているか否か判別する（ステップＳ９０４）。ステップＳ９０４の判別の結果、ポスター印刷設定以外の設定が設定されているとき（ステップＳ９０４でＹＥＳ）、ＣＰＵ１０５は、設定値として設定された値を選択し（ステップＳ９０５）、ステップＳ９０７に進む。
【０１０２】
一方、ステップＳ９０４の判別の結果、ポスター印刷設定以外の設定が設定されていなかったとき（ステップＳ９０４でＮＯ）、ＣＰＵ１０５は、設定値としてデフォルト値を選択する（ステップＳ９０６）。
【０１０３】
次いで、ＣＰＵ１０５は、Ｓ９０５又はＳ９０６で選択された設定値をもとにして、Ｓ９０３で確認されたポスター印刷設定可能な候補一覧それぞれに対して実サイズプレビューを表示する（ステップＳ９０７）。ＣＰＵ１０５は、この実サイズプレビューにおいてポスター印刷設定が選択されたか否か判別する（ステップＳ９０８）。ステップＳ９０８の判別の結果、ポスター印刷設定が選択されなかったとき（ステップＳ９０８でＮＯ）、本処理を終了する。
【０１０４】
一方、ステップＳ９０８の判別の結果、ポスター印刷設定が選択されたとき（ステップＳ９０８でＹＥＳ）、選択されたポスター印刷設定をＲＡＭ１０６に保持し（ステップＳ９０９）、本処理を終了する。
【０１０５】
図１０の処理によれば、実サイズプレビューにおいて、ポスター印刷が可能な用紙の実サイズプレビューをさらに表示することができる。
【０１０６】
図１０は、図１におけるＣＰＵ１０５により実行されるプレビュー表示チェック処理の手順を示すフローチャートである。
【０１０７】
図１０のプレビュー表示チェック処理は、図５のステップＳ５０７、５１５の実行前に行うようにしてもよい。
【０１０８】
図１０において、ＣＰＵ１０５は、実サイズプレビューを行う操作部１１０の表示能力を取得する（ステップＳ１００２）。表示能力には表示可能領域サイズや解像度が含まれる。次いで、ＣＰＵ１０５は、一覧表示を行う項目数とプレビュー領域のサイズとを取得する（ステップＳ１００３）。
【０１０９】
そして、ＣＰＵ１０５は、ステップＳ１００２、１００３で取得した内容をもとに、操作部１１０の表示能力に対し、実サイズプレビューの一覧数が妥当か否か判別する（ステップＳ１００４）。
【０１１０】
ステップＳ１００４の判別の結果、実サイズプレビューの一覧数が妥当のとき（ステップＳ１００４でＹＥＳ）、ステップＳ１００６に進む。
【０１１１】
一方、ステップＳ１００４の判別の結果、実サイズプレビューの一覧数が妥当ではないとき（ステップＳ１００４でＮＯ）、実サイズプレビューの一覧数を妥当な数に変更する（ステップＳ１００５）。尚、妥当かどうかを判断するために用いられる、妥当な数に該当する値は、予めＭＦＰにおいて保持されているものとする。
【０１１２】
次いで、ＣＰＵ１０５は、操作部１１０の表示能力に対し、実サイズプレビューがリスト形式の方が相応しいか否か判別する（ステップＳ１００６）。
【０１１３】
ステップＳ１００６の判別の結果、実サイズプレビューがリスト形式の方が相応しくないとき（ステップＳ１００６でＮＯ）、本処理を終了する。
【０１１４】
一方、実サイズプレビューがリスト形式の方が相応しいとき（ステップＳ１００６でＹＥＳ）、ＣＰＵ１０５は、実サイズプレビューを一覧からリスト形式に変更し（ステップＳ１００７）、本処理を終了する。
【０１１５】
図１０の処理によれば、実サイズプレビューにおいて、操作部１１０の表示サイズに応じて、表示する実サイズプレビューの数を変更することができる。さらに、実サイズプレビューの表示に代えて、リスト表示することができる。
【０１１６】
図１１は、図１におけるＣＰＵ１０５により実行される実サイズプレビュー表示箇所指定処理の手順を示すフローチャートである。
【０１１７】
図１１の実サイズプレビュー表示箇所指定処理は、図５のステップＳ５０７、５１５の実行前に行うようにしてもよい。
【０１１８】
図１１において、ＣＰＵ１０５は、実サイズプレビューの表示箇所がユーザによって指定されたか否か判別する（ステップＳ１１０２）。ステップＳ１１０２の判別の結果、実サイズプレビューの表示箇所が指定されたとき（ステップＳ１１０２でＹＥＳ）、画像内の指定された任意の箇所を特定し、その箇所一覧表示に使用するようにして、本処理を終了する。
【０１１９】
一方、ステップＳ１１０２の判別の結果、実サイズプレビューの表示箇所が指定されないとき（ステップＳ１１０２でＮＯ）、ＣＰＵ１０５は、画像内の最小文字が含まれる箇所を指定するか否か判別する（ステップＳ１１０４）。
【０１２０】
ステップＳ１１０４の判別の結果、画像内の最小文字が含まれる箇所を指定するとき（ステップＳ１１０４でＹＥＳ）、画像内の最小文字が含まれる箇所を指定し、その箇所一覧表示に使用するようにして、本処理を終了する。
【０１２１】
一方、ステップＳ１１０４の判別の結果、画像内の最小文字が含まれる箇所を指定しないとき（ステップＳ１１０４でＮＯ）、デフォルトで指定された箇所を指定し、その箇所を一覧表示使用するようにして、本処理を終了する。
【０１２２】
図１１の処理によれば、予め指定された画像の位置が表示されるように実サイズプレビューで表示するか、画像に含まれる文字のうち、最小文字が表示されるように実サイズプレビューで表示することができる。
【０１２３】
以上、実施形態を詳述したが、本発明は、複数の機器から構成されるシステムに適用してもよいし、また、一つの機器からなる装置に適用してもよい。例えば、スキャナ、プリンタ、ＰＣ、複写機、複合機及びファクシミリ装置の如くである。
【０１２４】
また、本発明は、以下の処理を実行することによっても実現される。即ち、上述した実施形態の機能を実現するソフトウェア（プログラム）を、ネットワーク又はコンピュータ読み取り可能な各種記憶媒体を介してシステム或いは装置に供給し、そのシステム或いは装置のコンピュータ（またはＣＰＵやＭＰＵ等）がプログラムを読み出して実行する処理である。
【符号の説明】
【０１２５】
１０５  ＣＰＵ
１０６  ＲＡＭ
１０７  ＲＯＭ
１０８  ＨＤＤ
１０２  プリンタエンジン
１１０  操作部
２００  画像形成装置
【図１】
2013056472.tif 000003
【図２】
2013056472.tif 000004
【図３】
2013056472.tif 000005
【図４】
2013056472.tif 000006
【図５】
2013056472.tif 000007
【図６】
2013056472.tif 000008
【図７】
2013056472.tif 000009
【図８】
2013056472.tif 000010
【図９】
2013056472.tif 000011
【図１０】
2013056472.tif 000012
【図１１】
2013056472.tif 000013